(57)【要約】      （修正有）【課題】機械室の容積増加を抑えつつ圧縮機や放熱パイプなどの機器から離間して配線コネクタを機械室内に配設し、かつ、配線コネクタの接触不良を防止することができる冷蔵庫を提供する。【解決手段】冷蔵庫本体と、冷蔵庫本体に設けられ内部に圧縮機が配設された機械室と、機械室に配設された電気配線７１，７２，７３を連結する配線コネクタ７４と、冷蔵庫本体に設けられ機械室に連通する収納凹部７５と、連結状態の配線コネクタ７４の長さ寸法Ｌに合わせた間隔で突出する突部８４が設けられた蓋体７７とを備え、蓋体７７が、突部８４の間で配線コネクタ７４を保持した状態で、収納凹部７５の開口部７６の少なくとも一部を閉塞して、収納凹部７５の内部に配線コネクタ７４と電気配線７１，７２，７３とを収納する。【選択図】図４
2014052141.tif 000002
【特許請求の範囲】
【請求項１】
冷蔵庫本体と、前記冷蔵庫本体に設けられ内部に圧縮機が配設された機械室と、前記機械室に配設された電気配線を連結する配線コネクタと、前記冷蔵庫本体に設けられ前記機械室に連通する収納凹部と、連結状態の前記配線コネクタの長さ寸法に合わせた間隔で突出する突部が設けられた蓋体とを備え、
前記蓋体が、前記突部の間で前記配線コネクタを保持した状態で、前記収納凹部の開口部の少なくとも一部を閉塞して、前記収納凹部の内部に前記配線コネクタと前記電気配線とを収納することを特徴とする冷蔵庫。
【請求項２】
前記蓋体が、前記配線コネクタを保持する保持部を備えることを特徴とする請求項１に記載の冷蔵庫。
【請求項３】
前記蓋体が、前記収納凹部に対して摺動可能に取り付けられていることを特徴とする請求項１又は２に記載の冷蔵庫。
【発明の詳細な説明】
【技術分野】
【０００１】
本発明の本実施形態は、冷蔵庫に関する。
【背景技術】
【０００２】
冷蔵庫は、冷凍サイクルの一部を構成する圧縮機や、冷却器によって冷却された空気を庫内に循環させるファンや、冷却器に付着した霜を融解する除霜ヒータ等の電気部品を備え、これらの電気部品に設けられた電気配線が、冷蔵庫本体に設けられた機械室において配線コネクタを介して制御部から延びる電気配線と電気的に接続されている（例えば、下記特許文献１参照）。
【先行技術文献】
【特許文献】
【０００３】
【特許文献１】特開２００４−６９２４２号公報
【発明の概要】
【発明が解決しようとする課題】
【０００４】
しかしながら、機械室は、内部に圧縮機などの各種機器が収納され狭く作業しにくい箇所であるため、配線コネクタが十分に挿入されず接触不良を起こす可能性がある。
【０００５】
また、機械室に収納された圧縮機や放熱パイプは、冷蔵庫の動作時に高温となることから、従来、機械室の容積を大きくすることで高温になる機器から配線コネクタを離間して配置していたが、このような場合、冷蔵庫の庫内容積が減少する問題がある。
【０００６】
そこで、機械室の容積増加を抑えつつ圧縮機や放熱パイプなどの機器から離間して配線コネクタを機械室内に配設し、かつ、配線コネクタの接触不良を防止することができる冷蔵庫を提供することを目的とする。
【課題を解決するための手段】
【０００７】
本実施形態の冷蔵庫は、冷蔵庫本体と、前記冷蔵庫本体に設けられ内部に圧縮機が配設された機械室と、前記機械室に配設された電気配線を連結する配線コネクタと、前記冷蔵庫本体に設けられ前記機械室に連通する収納凹部と、連結状態の前記配線コネクタの長さ寸法に合わせた間隔で突出する突部が設けられた蓋体とを備え、前記蓋体が、前記突部の間で前記配線コネクタを保持した状態で、前記収納凹部の開口部の少なくとも一部を閉塞して、前記収納凹部の内部に前記配線コネクタと前記電気配線とを収納することを特徴とする。
【図面の簡単な説明】
【０００８】
【図１】本発明の一実施形態に係る冷蔵庫の断面図である。
【図２】図１の冷蔵庫の冷凍サイクルを示す図である。
【図３】図１に示す冷蔵庫の機械室部分の斜視図である。
【図４】図１に示す冷蔵庫に設けられた配線収納部の正面図である。
【図５】配線収納部の分解斜視図である。
【図６】配線コネクタを取り付けた蓋体の斜視図である。
【図７】図４のＡ−Ａ断面図である。
【図８】図４のＢ−Ｂ断面図である。
【発明を実施するための形態】
【０００９】
以下、図面に基づき本発明の１実施形態について説明する。
【００１０】
本発明の一実施形態に係る冷蔵庫１０は、図１に示すように、外郭を形成する外箱１２ａと貯蔵空間を形成する内箱１２ｂとの間に形成された断熱空間１２ｃに発泡断熱材を充填した断熱箱体からなる冷蔵庫本体１２を備え、貯蔵空間を断熱仕切壁１４によって上方の冷蔵空間２０と下方の冷凍空間４０とに区画している。
【００１１】
冷蔵空間２０は、さらに仕切体２１によって上下に区画され、上部空間に複数段の載置棚を設けた冷蔵室２２が設けられ、下部空間に上下２段に設けられた容器２６を配置する野菜室２４が設けられている。
【００１２】
冷蔵室２２の開口部は、冷蔵庫本体１２の一側部の上下に設けられたヒンジにより回動自在に枢支された冷蔵室扉２３により閉塞されている。野菜室２４の開口部は、引き出し式の野菜室扉２５により閉塞されている。野菜室扉２５の裏面側には、容器２６を保持する左右一対の支持枠が固着されており、開扉動作とともに容器２６が庫外に引き出されるように構成されている。
【００１３】
野菜室２４の下方に断熱仕切壁１４を介して配置された冷凍空間４０には、自動製氷装置を備えた製氷室（不図示）と第１冷凍室４４を左右に併設しており、その下方には第２冷凍室４６が設けられている。
【００１４】
製氷室、第１冷凍室４４、及び第２冷凍室４６の開口部も、野菜室２４と同様、引き出し式の扉４５，４７により閉塞され、各扉４５，４７の裏面側に固着した左右一対の支持枠に収納容器が保持されており、開扉動作とともに該収納容器が庫外に引き出されるように構成されている。
【００１５】
そして、冷蔵空間２０の後部には、冷蔵空間２０内の空気を冷却する冷蔵用冷却器５２と、冷蔵用冷却器５２で冷却された冷気を冷蔵室２２及び野菜室２４へ送風する冷蔵用ファン５３が設けられている。また、冷凍空間４０の後部には、冷凍空間４０内の空気を冷却する冷凍用冷却器５４と、冷凍用冷却器５４で冷却された冷気を製氷室、第１冷凍室４４及び第２冷凍室へ送風する冷凍用ファン５５が設けられている。冷蔵用冷却器５２及び冷凍用冷却器５４は、冷蔵庫本体１２の背面下部に設けられた機械室３０内部に収納された圧縮機５１から供給される冷媒によって冷却される。
【００１６】
冷蔵庫１０の冷凍サイクル５０は、図２に示すように、高温高圧のガス状の冷媒を吐出する圧縮機５１と、圧縮機５１から吐出されるガス状の冷媒を受けて放熱液化する凝縮器５６と、凝縮器５６の出口側に設けられて冷媒流路を切り替える切替弁５７と、冷蔵用冷却器５２及び冷凍用冷却器５４と、これら冷却器５２，５４のための絞り手段としての冷蔵用減圧装置５８及び冷凍用減圧装置５９と、逆止弁６０とを備え、これらをパイプで接続し、圧縮機５１から吐出される冷媒を循環させる。
【００１７】
また、冷凍用冷却器５４の外周面には除霜ヒータ６３が配設されており、所定のタイミングで除霜ヒータ６３を通電し発熱させることで、冷凍用冷却器５４に付着した霜を融解除去する。
【００１８】
図１及び図３に示すように、冷蔵庫本体１２の外箱１２ａの底板（外箱底板）１２ａ１の後部には、後方に行くほど上方に高くなる傾斜面３１ａと、この傾斜面３１ａの後端から水平に延びる水平面３１ｂとが設けられ、これにより、冷蔵庫本体１２の背面下部に第２冷凍室４６に突出形成された段部３１が冷蔵庫のほぼ全幅にわたって設けられている。
【００１９】
段部３１の下方には、機械室３０が形成され、機械室３０の底部に機械室幅方向にわたってコンプ台３２が設けられている。このコンプ台３２の上には、クッション体を介して圧縮機５１が機械室幅方向の一方側に寄せて配設され、他方側に寄せて冷却ファン３３、凝縮器５６、及び除霜水を蒸発させる蒸発皿３４などが配設されている。機械室３０の背面は、外箱１２ａの後板（外箱後板）１２ａ２に取り付けられた背面グリル３９によって覆われている（図１参照）。
【００２０】
そして、冷蔵庫１０は、冷蔵空間２０の庫内温度を測定する冷蔵温度センサ２７や、冷凍空間４０の庫内温度を測定する冷凍温度センサ４８等の各種センサが庫内に設けられており、これらのセンサ２７，４８の検出信号に基づき、不図示の制御部が、圧縮機５１、冷蔵用ファン５３、冷凍用ファン５５、切替弁５７、除霜ヒータ６３、冷却ファン３３を駆動制御する。
【００２１】
このような構成の冷蔵庫１０において、冷蔵温度センサ２７、冷凍温度センサ４８、冷蔵用ファン５３、冷凍用ファン５５、切替弁５７、除霜ヒータ６３などの庫内に設けられた電気部品には、信号ラインや電源ラインなどの電気配線７１が接続されている。
【００２２】
そして、電気配線７１は、一体に束線化され冷蔵庫本体１２の断熱空間１２ｃ内を通って機械室３０に設けられた配線収納部７０へ引き出され、配線収納部７０において制御部から延びる電気配線７３と配線コネクタ７４を介して電気接続されている。
【００２３】
配線収納部７０は、図３〜図５に示すように、冷蔵庫本体１２の背面下部に設けられた段部３１の上方に、背面から前方（つまり、冷凍空間４０）へ向けて陥没するように設けられた収納凹部７５と、この収納凹部７５の後方の開口部７６の少なくとも一部を閉塞する蓋体７７とを備え。
【００２４】
収納凹部７５の上面には、冷蔵庫本体１２の断熱空間１２ｃに開口する上切欠部７８が設けられており、冷蔵庫本体１２の断熱空間１２ｃ内を通る電気配線７１が上切欠部７８から収納凹部７５へ引き出されている。
【００２５】
収納凹部７５の下面には、機械室３０の上面へ開口する一対の切欠部７９、８０が設けられ、一対の切欠部７９、８０を介して収納凹部７５と機械室３０とが連通している。制御部から延びる電気配線７３は、一方の切欠部７９を介して機械室３０から収納凹部７５へ引き込まれ、圧縮機５１や冷却ファン３３などの機械室３０内に設けられた電気部品に接続された電気配線７２は、他方の切欠部８０を介して機械室３０から収納凹部７５へ引き込まれている。
【００２６】
他方の切欠部８０を介して機械室３０から収納凹部７５へ引き込まれた機械室３０内の電気部品に接続された電気配線７２は、上切欠部７８を介して庫内から収納凹部７５へ引き出された電気配線７１と一体に束線化されている。一体に束線化された電気配線７１及び電気配線７２の先端部にはハウジング８１が設けられている。このハウジング８１は、制御部から延びる電気配線７３の先端部に設けられたハウジング８２とともに配線コネクタ７４を構成するものであり、ハウジング８１にハウジング８２が嵌合されることで電気配線７１及び電気配線７２と、電気配線７３とを連結する。
【００２７】
なお、本実施形態では、図５に示すように、収納凹部７５が、背面及び下面に開口する第１部材７５ａと、切欠部７９，８０を残して第１部材７５ａの下面開口を閉塞するとともに上切欠部７８を形成する第２部材７５ｂとを組み合わせて構成されている。
【００２８】
蓋体７７は、図５〜図８に示すように、平板状の基部８３と、基部８３から突出する複数の突部８４と、配線コネクタ７４を保持する保持部８５とを備え、ハウジング８１にハウジング８２が嵌合され連結状態の配線コネクタ７４を基部８３に沿わせて保持する。
【００２９】
複数の突部８４は、連結状態の配線コネクタ７４の長さ寸法Ｌに合わせた間隔で設けられている。言い換えれば、複数の突部８４の間隔は、連結状態の配線コネクタ７４を複数の突部８４の間に配置することができるが、配線コネクタ７４が十分に挿入されておらず接触不良状態の配線コネクタ７４を配置することができない程度の寸法に設定されている。これにより、複数の突部８４の間に連結された配線コネクタ７４のみが配置されるとともに、複数の突部８４の間に配置された後は、配線コネクタ７４のハウジング８１、８２が引き抜き方向Ｘへ移動するのを制限するように突部８４が配線コネクタ７４を保持する。
【００３０】
保持部８５は、例えば、基部８３から突出する爪状をなしており、基部８３に沿わせて配置された配線コネクタ７４の上下に係合して基部８３から離れないように配線コネクタ７４を保持する。
【００３１】
蓋体７７は、基部８３の上部に上部係合孔８６が設けられ、基部８３の下部に下部係合片８７が設けられている。
【００３２】
上部係合孔８６は、図５及び図８に示すように、基部８３の上部が厚さ方向（冷蔵庫前後方向に相当）へ膨らんだ膨出部８６ａの上面に設けられた開口であり、冷蔵庫本体１２に設けられた収納凹部７５の上面から下方へ垂下する上部係合片８８が挿入される。
【００３３】
また、下部係合片８７は、図６に示すように、基部８３から突出し先端に行くほど厚みが薄くなる爪形状をなしており、収納凹部７５の下面に設けられた下部係合孔８９に挿入され嵌合する。これにより、図４に示すように、配線コネクタ７４を保持する蓋体７７が、開口部７６を閉塞するように収納凹部７５に対して取り付けられる。
【００３４】
なお、本実施形態では、上部係合片８８や下部係合片８７の冷蔵庫幅方向に沿った長さ寸法に比べて、上部係合孔８６及び下部係合孔８９が冷蔵庫幅方向に沿って長く開口するように設けられており、これにより、蓋体７７が収納凹部７５に対して冷蔵庫幅方向に摺動可能に取り付けられている。
【００３５】
以上のように本実施形態では、冷蔵庫本体１２に配線コネクタ７４と電気配線７１，７２，７３とを収納する収納凹部７５が設けられているため、圧縮機５１や、圧縮機５１から吐出された高温の冷媒が流れる放熱パイプなどの機械室３０内に配設された機器から適切な距離をあけた位置に配線コネクタ７４を配設することができる。
【００３６】
しかも、配線コネクタ７４は、連結状態の配線コネクタ７４の長さ寸法Ｌに合わせた間隔で設けられた突部８４の間に配置した後、蓋体７７とともに冷蔵庫本体１２の収納凹部７５に配設される。そのため、万一、配線コネクタ７４が十分に挿入されておらず接触不良の状態であると、配線コネクタ７４を突部８４の間に配置することができず、組立作業時に配線コネクタ７４の接触不良を発見することができ、配線コネクタ７４の接触不良を抑えることができる。さらに、配線コネクタ７４が蓋体７７とともに収納凹部７５に配設された後は、電気配線７１，７２，７３に対して外力が作用しても突部８４がハウジング８１，８２の引き抜き方向Ｘへの移動を制限するため不用意に配線コネクタ７４が外れることがない。
【００３７】
また、本実施形態では、蓋体７７に保持部８５が設けられ、基部８３に沿わせて配置された配線コネクタ７４が基部８３から離れないように保持部８５が配線コネクタ７４を保持するため、配線コネクタ７４を固定させた状態で蓋体７７を収納凹部７５に取り付けることができ、組み立て作業が容易となる。
【００３８】
さらにまた、本実施形態では、蓋体７７が収納凹部７５に対して摺動可能に取り付けられているため、電気配線７１，７２，７３の長さに製造誤差によるバラツキがあっても蓋体７７を収納凹部７５に取り付けることができる。
【００３９】
なお、上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００４０】
１０…冷蔵庫      １２…冷蔵庫本体      ３０…機械室
５０…冷凍サイクル      ５１…圧縮機      ５２…冷蔵用冷却器
５３…冷蔵用ファン      ５４…冷凍用冷却器      ５５…冷凍用ファン
５６…凝縮器      ５７…切替弁      ５８…冷蔵用減圧装置
５９…冷凍用減圧装置      ７０…配線収納部      ７１…電気配線
７２…電気配線      ７３…電気配線      ７４…配線コネクタ
７５…収納凹部      ７６…開口部      ７７…蓋体
７８…上切欠部      ７９…切欠部      ８０…切欠部
８３…基部      ８４…突部      ８５…保持部
８６…上部係合孔      ８６ａ…膨出部      ８７…下部係合片
８８…上部係合片      ８９…下部係合孔
【図１】
2014052141.tif 000003
【図２】
2014052141.tif 000004
【図３】
2014052141.tif 000005
【図４】
2014052141.tif 000006
【図５】
2014052141.tif 000007
【図６】
2014052141.tif 000008
【図７】
2014052141.tif 000009
【図８】
2014052141.tif 000010